(57)【要約】【課題】放送コンテンツの提供における情報伝送のセキュリティ機能を十分に発揮することができ、しかもユーザの娯楽性の向上と、放送コンテンツの提供サービスの利用の拡大を図り得る放送システムを提供する。【解決手段】放送局ＢＳからパーソナル・コンピュータＰＣに対しユーザから要求された放送コンテンツを送信する際に、放送局ＢＳにて契約時にパーソナル・コンピュータＰＣに付与したＩＰタグを放送コンテンツの映像信号中に挿入して送信するようにしている。そして、パーソナル・コンピュータＰＣにおいて、自己が保有しているＩＰタグと放送コンテンツ中に挿入されたＩＰタグとを比較し、一致した場合のみ放送コンテンツを視聴できるようにしている。【選択図】      図４
2006262330.tif 000002
【特許請求の範囲】
【請求項１】
少なくとも映像信号を含む放送コンテンツを放送する放送送信装置と、この放送送信装置から放送された放送コンテンツを受信し再生すると共に、当該放送送信装置に対し通信ネットワークを介して接続される放送受信装置とを具備し、
前記放送送信装置は、
前記放送受信装置から通信ネットワークを介して放送コンテンツの取得要求が送られた場合に、この取得要求に応じて要求元の放送受信装置に対し映像信号中に該放送受信装置を識別するための個別識別情報を挿入した該当放送コンテンツを前記通信ネットワークを介して送信する放送コンテンツ送信手段を備え、
前記放送受信装置は、
前記放送送信装置との契約時に与えられた前記個別識別情報を記録媒体に記憶する記憶手段と、
前記放送送信装置に対し前記放送コンテンツの取得要求を前記通信ネットワークを介して送信する要求送信手段と、
前記取得要求の送出に対し前記放送送信装置から前記通信ネットワークを介して送られた放送コンテンツを受信し、当該放送コンテンツ中の個別識別情報と前記記録媒体に記憶されている個別識別情報とを比較し、この比較結果に基づいて前記放送コンテンツを再生する制御手段とを備えたことを特徴とする放送システム。
【請求項２】
前記放送コンテンツがＭＰＥＧ２（Moving Picture Experts Group 2）で規定されるＴＳ（Transport Stream）であるとき、
前記放送コンテンツ送信手段は、該当するＴＳ中のペイロード部に前記個別識別情報を挿入して要求元の放送受信装置へ送信することを特徴とする請求項１記載の放送システム。
【請求項３】
前記放送コンテンツがＭＰＥＧ２（Moving Picture Experts Group 2）で規定されるＴＳ（Transport Stream）であるとき、
前記放送コンテンツ送信手段は、前記個別識別情報を挿入した特定パケットを送信すべく複数のＴＳパケット間に挿入して要求元の放送受信装置へ送信することを特徴とする請求項１記載の放送システム。
【請求項４】
さらに、前記放送送信装置に対し前記通信ネットワークを介して接続され、前記放送コンテンツを受信して特定の地域に再送信する複数の再送装置を備え、
前記放送コンテンツ送信手段は、前記複数の再送装置それぞれの受信エリアの放送受信装置から送られる放送コンテンツの取得要求に応じて、映像信号中に該放送受信装置を識別するための個別識別情報を挿入した該当放送コンテンツを対応する再送装置に送り、当該再送装置から要求元の放送受信装置に対し通信ネットワークを介して送信することを特徴とする請求項１記載の放送システム。
【請求項５】
前記制御手段は、放送コンテンツ中の個別識別情報と前記記録媒体に記憶されている個別識別情報とが一致した場合に、予め設定された条件に基づいて前記放送コンテンツを再生することを特徴とする請求項１記載の放送システム。
【請求項６】
前記制御手段は、前記条件の判断に、放送コンテンツに応じて視聴制限を行うための視聴制限情報を用いることを特徴とする請求項５記載の放送システム。
【請求項７】
少なくとも映像信号を含む放送コンテンツを放送する放送送信装置と、この放送送信装置から放送された放送コンテンツを受信し再生すると共に、当該放送送信装置に対し通信ネットワークを介して接続される放送受信装置とを備え、前記通信ネットワークを介して前記放送送信装置から前記放送受信装置に対し任意の放送コンテンツを送信する放送コンテンツ提供方法であって、
前記放送受信装置において、前記放送送信装置との契約時に与えられた個別識別情報を記録媒体に記憶し、
前記放送受信装置から前記放送送信装置に対し前記放送コンテンツの取得要求を前記通信ネットワークを介して送信し、
前記放送送信装置において、前記放送受信装置から通信ネットワークを介して放送コンテンツの取得要求が送られた場合に、この取得要求に応じて要求元の放送受信装置に対し映像信号中に前記個別識別情報を挿入した該当放送コンテンツを前記通信ネットワークを介して送信し、
前記放送受信装置において、前記放送送信装置から前記通信ネットワークを介して送られた放送コンテンツを受信し、当該放送コンテンツ中の個別識別情報と前記記録媒体に記憶されている個別識別情報とを比較し、この比較結果に基づいて前記放送コンテンツを再生するようにしたことを特徴とする放送コンテンツ提供方法。
【請求項８】
少なくとも映像信号を含む放送コンテンツを放送する放送送信装置と、この放送送信装置から放送された放送コンテンツを受信し再生すると共に、当該放送送信装置に対し通信ネットワークを介して接続される放送受信装置とを具備した放送システムで使用される放送送信装置であって、
前記放送受信装置から通信ネットワークを介して放送コンテンツの取得要求が送られた場合に、この取得要求に応じて要求元の放送受信装置に対し映像信号中に該放送受信装置を識別するための個別識別情報を挿入した該当放送コンテンツを前記通信ネットワークを介して送信する放送コンテンツ送信手段を備え、
前記放送受信装置にて前記放送コンテンツの映像信号に挿入された個別識別情報に基づいて、当該放送コンテンツの再生を行えるようにしたことを特徴とする放送システムの放送送信装置。
【請求項９】
少なくとも映像信号を含む放送コンテンツを放送する放送送信装置と、この放送送信装置から放送された放送コンテンツを受信し再生すると共に、当該放送送信装置に対し通信ネットワークを介して接続される放送受信装置とを具備した放送システムで使用される放送受信装置であって、
前記放送送信装置との契約時に与えられた前記個別識別情報を記録媒体に記憶する記憶手段と、
前記放送送信装置に対し前記放送コンテンツの取得要求を前記通信ネットワークを介して送信する要求送信手段と、
前記取得要求の送出に対し前記放送送信装置から前記通信ネットワークを介して送られた放送コンテンツを受信し、前記放送送信装置にて当該放送コンテンツの映像信号に挿入された個別識別情報と前記記録媒体に記憶されている個別識別情報とを比較し、この比較結果に基づいて前記放送コンテンツを再生する制御手段とを具備したことを特徴とする放送システムの放送受信装置。
【発明の詳細な説明】
【技術分野】
【０００１】
この発明は、例えば地上放送・通信システムにおいて、放送局から放送受信機に対し通信ネットワークを介して放送コンテンツを提供する放送システムと、この放送システムを利用した放送コンテンツ提供方法と、この放送システムで使用される放送送信装置及び放送受信装置に関する。
【背景技術】
【０００２】
近年、地上波放送システムにおいて、デジタル放送が開始されている。このようなデジタル放送では、放送局から放送受信装置に対し放送波による放送コンテンツの送信の他に、インターネット等を介して放送受信装置のユーザからの要求に応じた放送コンテンツの送信を行うシステムが提案されている（例えば、特許文献１）。
【特許文献１】特開２００４−２６０６３８号公報。
【発明の開示】
【発明が解決しようとする課題】
【０００３】
ところが、上記システムでは、通常、簡易な暗号処理及び認証処理を行っているが、現状ではインターネットのセキュリティが十分とは言えず、不当な第三者による正当なユーザ宛の放送コンテンツの改竄、架空のユーザ情報による放送コンテンツの不正取得が発生するという問題が生じている。
【０００４】
そこで、この発明は、放送コンテンツの提供における情報伝送のセキュリティ機能を十分に発揮することができ、しかもユーザの娯楽性の向上と、放送コンテンツの提供サービスの利用の拡大を図り得る放送システムと、この放送システムを利用した放送コンテンツ提供方法と、この放送システムで使用される放送送信装置及び放送受信装置を提供することにある。
【課題を解決するための手段】
【０００５】
この発明は、上記目的を達成するために、以下のように構成される。  
少なくとも映像信号を含む放送コンテンツを放送する放送送信装置と、この放送送信装置から放送された放送コンテンツを受信し再生すると共に、当該放送送信装置に対し通信ネットワークを介して接続される放送受信装置とを具備し、放送送信装置は、放送受信装置から通信ネットワークを介して放送コンテンツの取得要求が送られた場合に、この取得要求に応じて要求元の放送受信装置に対し映像信号中に該放送受信装置を識別するための個別識別情報を挿入した該当放送コンテンツを通信ネットワークを介して送信する放送コンテンツ送信手段を備え、放送受信装置は、放送送信装置との契約時に与えられた個別識別情報を記録媒体に記憶する記憶手段と、放送送信装置に対し放送コンテンツの取得要求を通信ネットワークを介して送信する要求送信手段と、取得要求の送出に対し放送送信装置から通信ネットワークを介して送られた放送コンテンツを受信し、当該放送コンテンツ中の個別識別情報と記録媒体に記憶されている個別識別情報とを比較し、この比較結果に基づいて放送コンテンツを再生する制御手段とを備えるようにしたものである。
【０００６】
この構成によれば、要求された放送コンテンツは要求元の放送受信装置へ送信される際に、契約時に放送受信装置に与えた個別識別情報が映像信号中に挿入される。このため、要求された放送コンテンツが誤って異なる放送受信装置に転送された場合や、他のユーザが故意に他の放送受信装置宛の放送コンテンツを盗用して自己の放送受信装置で再生しようとしても、個別識別情報が一致しない限り、誤った放送コンテンツの再生或いは不正な放送コンテンツの再生が行われないようにすることができる。
【０００７】
また、放送受信装置のユーザは信頼性の高い放送コンテンツを選択的に再生することができるので、ユーザの娯楽性が高められることは勿論のこと、放送サービス利用者の加入促進を図ることができる。
【０００８】
さらに、放送送信装置に対し通信ネットワークを介して接続され、放送コンテンツを受信して特定の地域に再送信する複数の再送装置を備え、放送コンテンツ送信手段は、複数の再送装置それぞれの受信エリアの放送受信装置から送られる放送コンテンツの取得要求に応じて、映像信号中に該放送受信装置を識別するための個別識別情報を挿入した該当放送コンテンツを対応する再送装置に送り、当該再送装置から要求元の放送受信装置に対し通信ネットワークを介して送信することを特徴とする。
【０００９】
この構成によれば、再送装置の受信エリアごとに、各放送受信装置のユーザからの放送コンテンツの取得要求を収集し、この収集した取得要求に応じた放送コンテンツを対応する再送装置に送って要求元の放送受信装置に送信するようにしているので、放送サービスエリア外の遠隔地域にいるユーザに対しても最適な放送コンテンツを提供できる。
【００１０】
制御手段は、放送コンテンツ中の個別識別情報と記録媒体に記憶されている個別識別情報とが一致した場合に、予め設定された条件に基づいて放送コンテンツを再生することを特徴とする。なお、制御手段は、条件の判断に、放送コンテンツに応じて視聴制限を行うための視聴制限情報を用いる。
【００１１】
この構成によれば、個別識別情報により放送受信装置側で認証がとれても、例えば大人や子供が１台の放送受信装置を共用する場合に、年齢に応じて提供する放送コンテンツを制限することができる。
【発明の効果】
【００１２】
以上詳述したようにこの発明によれば、放送コンテンツの提供における情報伝送のセキュリティ機能を十分に発揮することができ、しかもユーザの娯楽性の向上と、放送コンテンツの提供サービスの利用の拡大を図り得る放送システムと、この放送システムを利用した放送コンテンツ提供方法と、この放送システムで使用される放送送信装置及び放送受信装置を提供することができる。
【発明を実施するための最良の形態】
【００１３】
以下、この発明の実施形態について図面を参照して詳細に説明する。  
図１は、この発明に係わる放送システムの一実施形態を示す概略構成図であり、図中ＢＳは放送送信装置としての放送局、ＰＣはユーザの放送受信装置としてのパーソナル・コンピュータをそれぞれ示している。
【００１４】
放送局ＢＳとパーソナル・コンピュータＰＣとの間はインターネットＩＮＷを介して接続可能となっており、これにより放送局ＢＳとパーソナル・コンピュータＰＣとの間で通信を行うことができる。また、放送局ＢＳは、専用線ＰＮを介して地方や海外等に配置される再送装置としての放送局ＣＳに接続可能となっている。
【００１５】
図２は、上記放送局ＢＳの要部構成を示すブロック図である。  
放送局ＢＳは、放送番組制作部１１と、記憶部１２と、放送番組送出部１３と、通信制御部１４との間をＬＡＮ（Local Area Network）１５により接続している。放送番組制作装置１１は、放送番組を制作し、この放送番組のデータを記憶部１２に蓄積する。この記憶部１２には、放送波により放送される放送番組のデータはもちろんのこと、放送波では放送しない放送番組のデータや過去数年前の放送番組のデータが蓄積されている。
【００１６】
放送番組送出部１３は、上記放送番組制作部１１により制作された放送番組をＭＰＥＧ２（Moving Picture Experts Group 2）のＴＳ（Transport Stream）に変換して多重化部１６へ出力する。
【００１７】
多重化部１６は、上記放送番組送出部１３から出力されるＴＳを他のＴＳと多重化する。そして、多重化ＴＳを送信部１７により放送波で送信させる。
【００１８】
上記通信制御部１４は、インターネットＩＮＷを介してパーソナル・コンピュータＰＣとの間で通信を行うもので、パーソナル・コンピュータＰＣから送られる放送コンテンツの取得要求の受信と、この取得要求に応じて上記記憶部１２に蓄積されている放送番組のデータをＴＳに変換して送信とを行う。この場合、通信制御部１４は、複数のＴＳパケットのうちの１つのＴＳパケット（アンシラリパケット）にＩＰタグを挿入して要求元のパーソナル・コンピュータＰＣへ送信する。つまり、ＩＰタグは、放送コンテンツ中の映像信号に挿入されることになる。なお、ＩＰタグには、契約時にパーソナル・コンピュータＰＣのユーザに割り当てた個別識別情報が含まれる。
【００１９】
図３は、パーソナル・コンピュータＰＣの要部構成を示すブロック図である。  
パーソナル・コンピュータＰＣは、放送受信機能付きパーソナル・コンピュータであり、受信アンテナ２１と、受信部２２と、制御部２３と、ＣＲＴを用いた表示部２４とを備えている。
【００２０】
このうち受信部２２は、放送局ＢＳから送られた放送信号を受信アンテナ２１を介して受信し、周波数変換回路及び復調回路等を用いて復調することにより放送コンテンツを再生する。制御部２３は、上記再生された放送コンテンツに含まれる映像信号を表示部２４に供給して表示させると共に、音声信号を図示しないスピーカから拡声出力させる。
【００２１】
ところで、上記パーソナル・コンピュータＰＣは、放送受信機能に加え、放送コンテンツの要求送信機能と、インターネットＩＮＷを介して取得した放送コンテンツの再生機能とを有している。これら機能は、上記制御部２３と、記憶部２５と、キーボードまたはマウスからなる入力部２６と、モデム２７とによって実現する。
【００２２】
このうち、入力部２６は、パーソナル・コンピュータＰＣに対し種々の動作指示を入力するために使用するもので、放送局ＢＳとの契約時に付与されたＩＰタグの登録指示の入力と、放送局ＢＳに対する放送コンテンツの取得要求の送信指示の入力にも使用される。入力部２６によりＩＰタグの登録指示が入力された場合に、制御部２３は入力されたＩＰタグを記憶部２５に記憶保持する。
【００２３】
また、制御部２３は、入力部２６により任意の放送コンテンツの取得要求が入力された場合に、上記モデム２７によりインターネットＩＮＷを介して放送局ＢＳに対し放送コンテンツの取得要求を送出する。そして、取得要求に応じて放送局ＢＳが送信するＴＳをモデム２７を介して受信する。以後、制御部２３は、受信されたＴＳパケットのＰＩＤ（Packet ID）をもとにＴＳパケットに含まれるＩＰタグを特定し、このＩＰタグと上記記憶部２５に記憶保持されているＩＰタグとを比較し、一致した場合にＴＳを復調して放送コンテンツを再生し、この再生した放送コンテンツに含まれる映像信号を表示部２４に供給して表示させると共に、音声信号を図示しないスピーカから拡声出力させる。なお、インターネットＩＮＷを経由したＴＳを再生するために、制御部２３には専用のコーデックがセットされる。
【００２４】
次に、以上のように構成されたシステムにおける放送コンテンツ提供方法を説明する。図４はその概要を示す系統図である。
【００２５】
インターネットＩＮＷ経由で提供される任意の放送コンテンツの視聴を希望する視聴者（ユーザ）は、インターネットＩＮＷを介して放送局ＢＳとの契約を結ぶ。その際、放送事業者は、ユーザの名前や住所、連絡先の電話番号又はメールアドレス等の属性情報と、ユーザＩＤ及びパスワード、ＩＰタグを記憶部１２の顧客データベースに登録する。またそれとともに、放送事業者は、ユーザに対し割り当てるＩＰタグと専用コーデックをセットするためのアプリケーションツールとをユーザに送る。
【００２６】
ユーザは、放送事業者から送られたＩＰタグとアプリケーションツールとをパーソナル・コンピュータＰＣにセットする。なお、上記ＩＰタグ及びアプリケーションツールの送付方法には、インターネットＩＮＷを経由して電子メールの添付ファイルとして送信する方法、郵送による方法がある。
【００２７】
図５は、放送コンテンツ提供方法を実施するためのパーソナル・コンピュータＰＣの動作手順及び動作内容を示すフローチャートであり、図６は放送局ＢＳの動作手順及び動作内容を示すフローチャートである。
【００２８】
インターネットＩＮＷ経由での放送コンテンツの視聴を希望する場合にユーザは、パーソナル・コンピュータＰＣを使用してインターネットＩＮＷ経由で放送局ＢＳにアクセスし、放送局ＢＳからダウンロードされる画面の案内に従い、放送局ＢＳから放送予定の番組リスト情報を取得して表示部２４に表示させる（ステップＳＴ５ａ及びステップＳＴ５ｂ）。
【００２９】
この状態でユーザが取得を希望する番組を入力部２６により選択指定すると、パーソナル・コンピュータＰＣはステップＳＴ５ｃからステップＳＴ５ｄに移行してここでインターネットＩＮＷを介して放送局ＢＳに対し放送コンテンツの取得要求を送信する。この取得要求には、取得を希望する放送番組の内容や、ユーザＩＤ、パスワード、ＩＰタグが含まれる。
【００３０】
これに対し放送局ＢＳは、パーソナル・コンピュータＰＣから取得要求を受信すると（ステップＳ６ａ）、取得要求に含まれるユーザＩＤ及びパスワードと記憶部１２の顧客データベースに登録されているユーザＩＤ及びパスワードとを比較することで、認証を行う（ステップＳＴ６ｂ）。
【００３１】
ここで、認証が得られない場合（Ｎｏ）、放送局ＢＳは要求元のパーソナル・コンピュータＰＣに対しエラーメッセージを送信する。一方、認証が得られた場合（Ｙｅｓ）、放送局ＢＳは記憶部１２から該当する放送番組の放送コンテンツを読み出す（ステップＳＴ６ｃ）。そして、放送局ＢＳは読み出した放送コンテンツをＴＳに変換すると共に、複数のＴＳパケットのうちの１つのパケットにＩＰタグを挿入し（ステップＳＴ６ｄ）、インターネットＩＮＷを介して要求元のパーソナル・コンンピュータＰＣに向け送信する（ステップＳＴ６ｅ）。
【００３２】
パーソナル・コンピュータＰＣは、放送局ＢＳからインターネットＩＮＷを介して送られてきたＴＳを受信し（ステップＳＴ５ｅ）、専用コーデックを使用してＴＳに含まれるＩＰタグと上記記憶部２５に登録されているＩＰタグとを比較し、一致するか否かの判断を行う（ステップＳＴ５ｆ）。
【００３３】
ここで、ＩＰタグが一致した場合に（Ｙｅｓ）、パーソナル・コンピュータＰＣはＴＳから希望の放送コンテンツを再生する（ステップＳＴ５ｇ）。かくして、パーソナル・コンピュータＰＣのユーザは、好みの放送コンテンツを視聴することができる。一方、ＩＰタグが一致しない場合（Ｎｏ）、パーソナル・コンピュータＰＣは放送コンテンツを破棄する。
【００３４】
なお、上記ステップＳＴ５ｃにおいて、ユーザが放送コンテンツの取得を一時的に停止する場合のように、ユーザが取得指示を入力しなかった場合には、処理を終了する。
【００３５】
また、ＩＰタグが一致した場合でも、パーソナル・コンピュータＰＣは、自装置に設定された視聴制限情報をもとに、放送コンテンツの内容に応じて視聴を制限することもできる。このようにすれば、例えば大人や子供が１台のパーソナル・コンピュータＰＣを共用する場合に、年齢に応じて提供する放送コンテンツを制限することができる。
【００３６】
以上のように上記実施形態では、放送局ＢＳからパーソナル・コンピュータＰＣに対しユーザから要求された放送コンテンツを送信する際に、放送局ＢＳにて契約時にパーソナル・コンピュータＰＣに付与したＩＰタグを放送コンテンツの映像信号中に挿入して送信するようにしている。
【００３７】
従って、要求された放送コンテンツが誤って異なる放送受信装置に転送された場合や、他のユーザが故意にパーソナル・コンピュータＰＣ宛の放送コンテンツを盗用して自己の放送受信装置で再生しようとしても、映像信号中のＩＰタグが一致しない限り、誤った放送コンテンツの再生或いは不正な放送コンテンツの再生が行われないようにすることができ、これによりコンテンツ保護の向上を図ることができる。
【００３８】
また、パーソナル・コンンピュータＰＣのユーザは信頼性の高い放送コンテンツを選択的に視聴することができるので、ユーザにとっては好みの放送コンテンツを視聴することができる。一方、放送事業者にとっては、放送サービスの加入者を増やすことができる。
【００３９】
また、上記実施形態では、放送局ＢＳが提供する放送コンテンツを受けられない海外や地域に対して、他の放送局ＣＳに専用線ＰＮを介して取得希望の放送コンテンツを受信しその地域に再送することもできる。このようにすれば、海外や遠隔地域にいるユーザに対しても最適な放送コンテンツを提供できる。
【００４０】
なお、この発明は上記実施形態に限定されるものではない。例えば、上記実施形態では、放送コンテンツを構成する複数のＴＳパケットのうちの１つのパケットにＩＰタグを挿入する例について説明した。しかしこれに限ることなく、図７に示すように、ＴＳパケットごとにＴＳヘッダ、アダプテーションフィールドに続く、ペイロードにＩＰタグを挿入するようにしてもよい。
【００４１】
また、上記実施形態では、ＩＰタグが一致した後、視聴制限情報を用いて放送コンテンツの視聴制限を行う例について説明した。しかしこれに限ることなく、他の条件により放送コンテンツの視聴制限を行うようにしてもよい。
【００４２】
その他、システムの構成、放送局の構成、パーソナル・コンピュータの構成、放送コンテンツの提供手順、ＩＰタグの種類等についても、この発明の要旨を逸脱しない範囲で種々変形して実施できる。
【図面の簡単な説明】
【００４３】
【図１】この発明に係わる放送システムの一実施形態を示す概略構成図。
【図２】同実施形態における放送局の要部構成を示すブロック図。
【図３】同実施形態におけるパーソナル・コンピュータの要部構成を示すブロック図。
【図４】同実施形態における放送コンテンツ提供方法を説明するための系統図。
【図５】同実施形態において、放送コンテンツ提供方法を実施するためのパーソナル・コンピュータの動作手順及び動作内容を示すフローチャート。
【図６】同実施形態において、放送コンテンツ提供方法を実施するための放送局ＢＳの動作手順及び動作内容を示すフローチャート。
【図７】他の実施形態において、ＩＰタグを挿入するＭＰＥＧ２のＴＳ構造を示す図。
【符号の説明】
【００４４】
１１…放送番組制作部、１２…記憶部、１３…放送番組送出部、１４…通信制御部、１５…ＬＡＮ（Local Area Network）、１６…多重化部、１７…送信部、２１…受信アンテナ、２２…受信部、２３…制御部、２４…表示部、２５…記憶部、２６…入力部、２７…モデム、ＢＳ，ＣＳ…放送局、ＰＣ…パーソナル・コンピュータ、ＩＮＷ…インターネット、ＰＮ…専用線。
【図１】
2006262330.tif 000003
【図２】
2006262330.tif 000004
【図３】
2006262330.tif 000005
【図４】
2006262330.tif 000006
【図５】
2006262330.tif 000007
【図６】
2006262330.tif 000008
【図７】
2006262330.tif 000009